(57)【要約】【課題】たも網の柄を片手で迅速に伸ばすことができるようにすることと、外柄部に収納された内柄部が携帯時に繰り出すのを確実に防止できるようにすることである。【解決手段】内柄部３の先端部に、周方向の２箇所で、アーム部９ｂの弾性力で外方へ押し出されるように付勢された爪９ｃを設け、外柄部４の先端部に、周方向の２箇所で、爪９ｃが内方から嵌まり込む係止孔１０ａを設けて、外柄部４に収納された内柄部３の前方への繰り出しと、内柄部３の外柄部４との相対回転を係止することにより、外柄部４の各係止孔１０ａに嵌まり込んだ爪９ｃを内方へ押し込む１動作のみで、たも網の柄を片手で迅速に伸ばすことができるようにした。【選択図】図３
2011205928.tif 000002
【特許請求の範囲】
【請求項１】
先端に網の網枠が取り付けられた内柄部が、筒状の外柄部の中に、直接または少なくとも１本の筒状の中間柄部を介して、外柄部と相対回転可能に軸方向へスライド自在に収納され、これらの外柄部に収納された柄部が前方へ繰り出されて、柄が伸縮するようにされたたも網において、前記内柄部の先端部に、周方向の少なくとも１箇所で、外方へ押し出されるように付勢された爪を設け、前記外柄部の先端部に、周方向の少なくとも１箇所で、前記爪が内方から嵌まり込む係止孔を設けて、前記外柄部に収納された内柄部の前方への繰り出しと、前記内柄部の外柄部との相対回転を係止するようにしたことを特徴とするたも網。
【請求項２】
前記爪が、前記内柄部の先端部の前端側から後方へ延び、弾性変形で起伏するアーム部の先端に設けられ、このアーム部の弾性力で外方へ押し出されるように付勢されるものである請求項１に記載のたも網。
【請求項３】
前記爪の前端側に、前記係止孔の前端縁を外側と内側から噛むように後方へ凹む顎部を設けた請求項１または２に記載のたも網。
【請求項４】
前記顎部の前記係止孔の前端縁の外側を噛む上顎部を、前方から後方へ向けて内側へ傾斜するテーパ面で形成した請求項３に記載のたも網。
【請求項５】
前記爪の外側を向く外側面を、前後方向へ凸に湾曲する円弧面で形成した請求項１乃至４のいずれかに記載のたも網。
【請求項６】
前記内柄部の外径面の前記爪の左右両側に、前記外方へ押し出されるように付勢された爪との間の隙間を遮蔽する遮蔽壁を設けた請求項１乃至５のいずれかに記載のたも網。
【請求項７】
前記爪と係止孔を、周方向に１８０°の位相で２箇所に設けた請求項１乃至６のいずれかに記載のたも網。
【請求項８】
前記外柄部の周方向の１箇所に前端側へ向けたフック部材を設け、前記内柄部が前記外柄部との相対回転を係止されたときに、前記網枠の開口が前記フック部材を設けた周方向位置の方向に向けられるようにした請求項１乃至７のいずれかに記載のたも網。
【発明の詳細な説明】
【技術分野】
【０００１】
本発明は、柄が伸縮するたも網に関する。
【背景技術】
【０００２】
たも網には、コンパクトに携帯でき、釣竿に掛かった水中の獲物を離れた位置で掬い上げることができるように、柄が伸縮するものがある。この柄が伸縮するたも網は、先端に網の網枠が取り付けられた内柄部を、筒状の外柄部の中に、直接または筒状の中間柄部を介して、軸方向へスライド自在に収納し、これらの外柄部に収納した柄部を前方へ繰り出すようになっている。通常、柄の伸長長さを長くできるように、複数本の中間柄部を設けることが多く、内柄部と中間柄部は外柄部に対して相対回転可能とされている。
【０００３】
このような柄が伸縮するたも網には、携帯時に内柄部や中間柄部が勝手に繰り出さないように、網枠が取り付けられる内柄部の先端部に、ゴム部材で形成した太径のボスを固定し、このボスを筒状の外柄部の先端部に嵌め込んで係止するようにしたもの（例えば、特許文献１参照）や、内柄部の先端部に外向きの鍔を設け、外柄部の先端部に、前端側に鉤を有する鉤部材を回動可能に枢着して、この鉤部材の前端側を外方から内方へ回動させて、外向きの鍔を鉤で係止するようにしたもの（例えば、特許文献２参照）がある。
【０００４】
特許文献２に記載されたものは、鉤部材を枢着軸に装着したねじりばねで、前端側が内方へ回動するように付勢するとともに、前後方向へ移動して、前方へ移動したときに鉤部材と一体に回動し、後方へ移動したときに鉤部材の回動をロックするロック部材を設けている。
【先行技術文献】
【特許文献】
【０００５】
【特許文献１】登録実用新案第３０８１９３６号公報
【特許文献２】特開２００７−２７４９６１号公報
【発明の概要】
【発明が解決しようとする課題】
【０００６】
特許文献１に記載されたたも網は、使用時に柄を伸ばすときに、内柄部に取り付けられた網枠と外柄部を別々に持って、外柄部の先端部に嵌め込んだ内柄部の先端部のボスを引き抜く必要があり、釣竿に獲物が掛かって片手が塞がっているときに、片手で柄を伸ばすことが困難な問題がある。また、携帯時に外柄部と内柄部のボスとの嵌合が緩んで、外柄部に収納された内柄部が突然繰り出す問題もある。内柄部が繰り出すと中間柄部も追随して繰り出し、たも網を損傷したり、他人を傷付けたりする恐れがある。
【０００７】
一方、特許文献２に記載されたたも網は、外柄部を持った手でロック部材を前方へ押し出し、前端側を鉤部材と一体に外方へ回動させて、鉤部材による内柄部の鍔の係止を解除することにより、片手で柄を伸ばすことができるが、ロック部材を押し出す動作と回動する動作の２つの動作を必要とし、急ぐときに柄を迅速に伸ばすことができない問題がある。また、携帯時の振動等で、ロック部材が前方へ押し出され、鉤部材がねじりばねによる付勢よりも大きい力で外方へ回動して、外柄部に収納された内柄部が繰り出す恐れもある。
【０００８】
そこで、本発明の課題は、たも網の柄を片手で迅速に伸ばすことができるようにすることと、外柄部に収納された内柄部が携帯時に繰り出すのを確実に防止できるようにすることである。
【課題を解決するための手段】
【０００９】
上記の課題を解決するために、本発明は、先端に網の網枠が取り付けられた内柄部が、筒状の外柄部の中に、直接または少なくとも１本の筒状の中間柄部を介して、外柄部と相対回転可能に軸方向へスライド自在に収納され、これらの外柄部に収納された柄部が前方へ繰り出されて、柄が伸縮するようにされたたも網において、前記内柄部の先端部に、周方向の少なくとも１箇所で、外方へ押し出されるように付勢された爪を設け、前記外柄部の先端部に、周方向の少なくとも１箇所で、前記爪が内方から嵌まり込む係止孔を設けて、前記外柄部に収納された内柄部の前方への繰り出しと、前記内柄部の外柄部との相対回転を係止する構成を採用した。
【００１０】
すなわち、内柄部の先端部に、周方向の少なくとも１箇所で、外方へ押し出されるように付勢された爪を設け、外柄部の先端部に、周方向の少なくとも１箇所で、爪が内方から嵌まり込む係止孔を設けて、外柄部に収納された内柄部の前方への繰り出しと、内柄部の外柄部との相対回転を係止することにより、外柄部の係止孔に嵌まり込んだ爪を内方へ押し込む１動作のみで、たも網の柄を片手で迅速に伸ばすことができるようにした。
【００１１】
前記爪を、前記内柄部の先端部の前端側から後方へ延び、弾性変形で起伏するアーム部の先端に設けられ、このアーム部の弾性力で外方へ押し出されるように付勢されるものとすることにより、簡単な構成で爪を外方へ押し出されるように付勢することができる。
【００１２】
前記爪の前端側に、前記係止孔の前端縁を外側と内側から噛むように後方へ凹む顎部を設けることにより、前方へ繰り出そうとする内柄部を確実に係止して、外柄部に収納された内柄部が携帯時に繰り出すのを確実に防止することができる。
【００１３】
前記顎部の前記係止孔の前端縁の外側を噛む上顎部を、前方から後方へ向けて内側へ傾斜するテーパ面で形成することにより、係止孔に嵌まり込んだ爪を、係止孔の前端縁に沿わせて内方へスムーズに押し込むことができる。
【００１４】
前記爪の外側を向く外側面を、前後方向へ凸に湾曲する円弧面で形成することにより、外方へ付勢された爪をスムーズに外柄部の中へ出し入れすることができるとともに、外柄部の中へ入れた爪がスムーズに係止孔に嵌まり込むようにすることができる。
【００１５】
前記内柄部の外径面の前記爪の左右両側に、前記外方へ押し出されるように付勢された爪との間の隙間を遮蔽する遮蔽壁を設けることにより、釣糸等が内柄部の外径面と爪との間に噛み込まれるのを防止することができる。
【００１６】
前記爪と係止孔を、周方向に１８０°の位相で２箇所に設けることにより、例えば、対向する親指と人差指または中指の２本の指で、２箇所の係止孔に嵌まり込んだ爪を、容易に内方へ押し込むことができる。係合する爪と係止孔が１箇所のみでは、１箇所の係合が外れると内柄部が繰り出す恐れがあるとともに、爪と係止孔を係合させるのに内柄部と外柄部を最大で３６０°相対回転させる場合があり、内柄部の収納に少し時間がかかる。また、爪と係止孔を３箇所以上とすると、爪と係止孔を係合させる内柄部と外柄部の相対回転角度は小さくなるが、３箇所以上の爪を押し込むのに３本以上の指を必要とし、各係止孔に嵌まり込んだ爪を押し込むのが難しくなる。
【００１７】
前記外柄部の周方向の１箇所に前端側へ向けたフック部材を設け、前記内柄部が前記外柄部との相対回転を係止されたときに、前記網枠の開口が前記フック部材を設けた周方向位置の方向に向けられるようにすることにより、フック部材を背中やズボンのベルト、ポケット等に引掛けたときに、枠の開口と反対側にある網を身体の外側に向けて、たも網を携帯することができ、身体が濡れないようにすることができる。
【発明の効果】
【００１８】
本発明のたも網は、内柄部の先端部に、周方向の少なくとも１箇所で、外方へ押し出されるように付勢された爪を設け、外柄部の先端部に、周方向の少なくとも１箇所で、爪が内方から嵌まり込む係止孔を設けて、外柄部に収納された内柄部の前方への繰り出しと、内柄部の外柄部との相対回転を係止するようにしたので、外柄部の係止孔に嵌まり込んだ爪を内方へ押し込む１動作のみで、たも網の柄を片手で迅速に伸ばすことができる。
【００１９】
前記爪の前端側に、係止孔の前端縁を外側と内側から噛むように後方へ凹む顎部を設けることにより、前方へ繰り出そうとする内柄部を確実に係止して、外柄部に収納された内柄部が携帯時に繰り出すのを確実に防止することができる。
【図面の簡単な説明】
【００２０】
【図１】たも網の実施形態を示す側面図
【図２】図１のたも網の柄を伸ばした状態を示す側面図
【図３】図１のたも網の柄の先端部を示す縦断側面図
【図４】図３の内柄部を外柄部から抜き出した状態を示す斜視図
【図５】図１のたも網を携帯する状態を示す斜視図
【発明を実施するための形態】
【００２１】
以下、図面に基づき、本発明の実施形態を説明する。このたも網は、図１および図２に示すように、先端に網１の網枠２が取り付けられた内柄部３が、筒状の外柄部４の中に複数本の筒状の中間柄部５を介して、外柄部４と相対回転可能に軸方向へスライド自在に収納され、外柄部４に収納された内柄部３と各中間柄部５が前方へ繰り出されて、柄が伸びるようになっている。
【００２２】
前記外柄部４には、前端側へ向けた携帯用のフック部材６が取り付けられ、後述するように、内柄部３に設けた爪９ｃが外柄部４に設けた係止孔１０ａに嵌まり込んで、内柄部３の外柄部４との相対回転が係止されたときに、網枠２の開口が、フック部材６を取り付けた周方向位置の方向に向けられるようになっている。また、フック部材６の後端側には、ズボンのベルト通し部等に掛けられるカラビナ７が磁石（図示省略）で着脱可能に取り付けられ、中空とされたフック部材６に収納された伸縮する弦巻状の紐８で連結されている。
【００２３】
図３および図４に示すように、前記内柄部３の先端部には、軸部９ａの前端から周方向に１８０°の位相の２箇所で後方へ延びるアーム部９ｂの先端に、平面形状が前後方向に長い矩形状の爪９ｃを設けた爪部材９が取り付けられている。また、外柄部４の先端部には、周方向に１８０°の位相の２箇所で、爪９ｃが嵌まり込む前後方向に長い矩形状の係止孔１０ａが設けられた筒状の係止孔部材１０が取り付けられている。
【００２４】
前記爪部材９と係止孔部材１０は熱可塑性樹脂で形成され、爪部材９の各アーム部９ｂが弾性変形で起伏し、その弾性力によって各爪９ｃが外方へ押し出されるように付勢されている。また、外方へ付勢された各爪９ｃの左右両側には、爪部材９の軸部９ａと爪９ｃとの間の隙間を遮蔽し、釣糸等の噛み込みを防止する遮蔽壁９ｄが設けられている。したがって、内柄部３の爪部材９を外柄部４の係止孔部材１０の中に挿入し、内柄部３と外柄部４を最大で１８０°相対回転させることにより、外方へ付勢された各爪９ｃが各係止孔１０ａに嵌まり込み、外柄部４に収納された内柄部３の前方への繰り出しが防止される。
【００２５】
前記内柄部３の２箇所の爪９ｃは、網枠２の開口面と直角な周方向位置に１８０°の位相で設けられ、外柄部４の２箇所の係止孔１０ａは、フック部材６が取り付けられた周方向位置とその反対側の位置に１８０°の位相で設けられており、各爪９ｃが各係止孔１０ａに嵌まり込んだときに、網枠２の開口をフック部材６が取り付けられた周方向位置の方向に向けることができるようになっている。なお、これらの爪９ｃと係止孔１０ａの周方向位置は、これらが係合したときに、網枠２の開口がフック部材６の方向に向けられればよく、例えば、２箇所の爪９ｃを網枠２の開口面と平行な周方向位置に設け、２箇所の係止孔１０ａをフック部材６が取り付けられた周方向位置と直角な周方向位置に設けることもできる。
【００２６】
前記爪９ｃの前端側には、係止孔１０ａの前端縁を外側と内側から噛むように後方へ凹む顎部１１が設けられており、係止孔１０ａの前端縁の外側を噛む上顎部は、前方から後方へ向けて内側へ傾斜するテーパ面１１ａで形成されている。したがって、外柄部４に収納された内柄部３が携帯時に繰り出すのを確実に防止することができるとともに、たも網の使用時に、係止孔１０ａに嵌まり込んだ爪９ｃを、係止孔１０ａの前端縁に沿わせて内方へスムーズに押し込み、内柄部３と各中間柄部５を迅速に繰り出すことができる。なお、この実施形態では、係止孔１０ａの前端縁も、上顎部のテーパ面１１ａと傾斜の等しいテーパ面が形成されているが、係止孔１０ａの前端縁は、必ずしもこのようなテーパ面が形成されていなくてもよい。
【００２７】
また、前記爪９ｃの外側を向く外側面は、前後方向へ凸に湾曲する円弧面１２で形成されている。したがって、外方へ付勢された爪９ｃをスムーズに外柄部４の係止孔部材１０の中へ出し入れできるとともに、係止孔部材１０の中へ入れた爪９ｃがスムーズに係止孔１０ａに嵌まり込む。
【００２８】
図５は、上述したたも網を携帯して釣りをする状態を示す。前記フック部材６がズボンの後ポケットに差し込まれるとともに、カラビナ７がベルト通し部に掛けられて、たも網が下向きに携帯されているが、上述したように、内柄部３の爪部材９の各爪９ｃが、外柄部４の係止孔部材１０の各係止孔１０ａに確実に係止されているので、内柄部３が下方へ繰り出す恐れはない。また、上述したように、外柄部４に収納された内柄部３の先端に取り付けられた網枠２の開口が、フック部材６を取り付けた周方向位置の方向に向けられ、網枠２の開口と反対側にある網１が身体の外側に向けられているので、身体が濡れることもない。
【００２９】
上述した実施形態では、外柄部の係止孔に嵌まり込む爪を、弾性変形で起伏するアーム部の弾性力で、外方へ押し出すように付勢したが、爪を外方へ付勢する手段は実施形態のものに限定されることはなく、例えば、ばねやゴム等の弾性部材で爪を外方へ押し出すように付勢することもできる。
【符号の説明】
【００３０】
１  網
２  網枠
３  内柄部
４  外柄部
５  中間柄部
６  フック部材
７  カラビナ
８  紐
９  爪部材
９ａ  軸部
９ｂ  アーム部
９ｃ  爪
９ｄ  遮蔽壁
１０  係止孔部材
１０ａ  係止孔
１１  顎部
１１ａ  テーパ面
１２  円弧面
【図１】
2011205928.tif 000003
【図２】
2011205928.tif 000004
【図３】
2011205928.tif 000005
【図４】
2011205928.tif 000006
【図５】
2011205928.tif 000007